(57)【要約】【課題】記録再生装置などのリモコンに関するものであり、ユーザが見たい場面になるまでリモコンの早送釦・巻戻釦の押下と開放を繰り返す開放回数を少なくするものである。【解決手段】記録再生装置に操作釦情報を送信するリモコン装置１において、キー入力装置１０１と、タイマー部１０３と、記憶部１０４とおよび操作補正部１０６からなり、早送釦操作後に自動巻き戻しを行い、１秒以内に釦操作があると自動巻戻時間を修正するものである。これにより、見たい場面で再生する釦の押下と開放回数を少なくすることができるという効果を奏する。【選択図】図１
2011211584.tif 000002
【特許請求の範囲】
【請求項１】
少なくとも早送押下釦または巻戻押下釦を押下して早送釦押下信号または巻戻釦押下信号を出力するキー入力部と、
前記キー入力部からの早送釦押下信号または巻戻釦押下信号を入力し制御信号を送信するリモコン制御部と、
このリモコン制御部を介して前記キー入力部からの早送釦押下信号または巻戻釦押下信号の入力時間を計測し早送釦押下時間または巻戻釦押下時間を算出するタイマー部と、
このタイマー部で計測した早送釦押下時間または巻戻釦押下時間の信号を前記リモコン制御部を介して記憶する記憶部と、
前記キー入力部の前記早送釦押下信号や巻戻釦押下信号を前記リモコン制御部を介して送信部から送信する送信部とからなり、
前記リモコン制御部は前記記憶部でした早送釦押下時間や巻戻釦押下時間の信号を巻戻釦押下時間信号から自動巻戻時間を算出し、このリモコン制御部で算出した自動巻戻時間から、実際に巻き戻した時間を算出するとともに、算出した自動巻戻時間の累積から自動巻戻時間の補正信号を算出する操作補正部を備え、
この操作補正部で算出した信号に基づいて前記記憶部に記憶した自動巻戻時間を算出してなるリモコン装置。
【発明の詳細な説明】
【技術分野】
【０００１】
本発明は記録再生装置に用いるリモコン装置に関するものである。
【背景技術】
【０００２】
記録再生装置、例えば、ＤＶＤプレイヤーなどはＤＶＤが記憶している画像データがきいとともに、画像データの再生位置のスキップが可能である。さらに、早送りや巻き戻しは、例えば、早送りや巻き戻しの速度が５倍速、１０倍速、２０倍速、３０倍速の倍速設定がされている。さらに、再生、早送りや巻戻しのために複数の釦を有するリモコン装置が利用されている。（例えば特許文献１参照）。
【先行技術文献】
【特許文献】
【０００３】
【特許文献１】特開２００５−３４０８９０
【発明の概要】
【発明が解決しようとする課題】
【０００４】
しかしながら、従来のリモコン装置の場合、再生中に早送釦を押すと５〜３０倍速で設定した速度で早送りや巻き戻しが実施される。ユーザが早送りしながら見たい場面を確認しその直後に早送釦を開放しても、早送りの速度が速いため通常再生になるとユーザの見たい場面から進んでいる。ユーザは見たい場面に戻すため、巻き戻しをしても上記設定した速度で巻き戻されるため、見たい場面を確認し釦を開放した時点でユーザの見たい場面から戻りすぎている。このように、早送り、巻き戻しの速度が早くなると、ユーザが見たい場面で釦を開放しても、見たい場面より離れて再生されるため、ユーザが見たい場面になるまでリモコンの早送り操作と巻き戻し操作を複数回繰り返し行うため、操作が複雑になっていた。
【０００５】
そこで本発明は、早送り操作で見たい場面で再生するときに、早送釦と巻戻釦の押下の回数を減らし、操作性が向上するリモコン装置を提供することを目的とする。
【課題を解決するための手段】
【０００６】
上記目的を達成するために、記録再生装置に操作釦情報を送信するリモコン装置において、操作釦の入力を検知するキー入力装置と、入力部から早送釦押下時間や巻戻釦押下時間を計測するタイマー部と、早送釦押下時間や巻戻釦押下時間と自動巻戻時間を記憶する記憶部および操作補正部を設けた構成である。
【発明の効果】
【０００７】
リモコン制御部が自動巻戻時間を前記送信部から記録再生装置に送信し、一定時間以内に、早送釦または巻戻釦の押下を検出するとタイマー部で早送釦または巻戻釦が押下されている間の時間が計測され、早送釦または巻戻釦の押下時間と自動巻戻時間から自動巻戻時間を修正し、修正した自動巻戻時間と早送釦また巻戻釦の操作を記憶部に記憶し、さらに、記憶部に記憶している修正した自動巻戻時間と早送釦または巻戻釦の操作回数より自動巻戻時間を補正する操作補正部をさらに備え、補正した自動巻戻時間を次の早送釦開放時の自動巻戻時間とすることで、早送り操作で見たい場面で再生するときに、早送釦と巻戻釦の押下の回数を減らし、操作性が向上するリモコン装置を提供することを目的とする。
【図面の簡単な説明】
【０００８】
【図１】本発明の一実施の形態におけるリモコン装置、記録再生装置および表示装置のブロック図
【図２】本発明の一実施の形態におけるリモコン装置フロー図
【図３】本発明の一実施の形態におけるリモコン装置のフロー図のステップ１〜３の説明する図
【図４】本発明の一実施の形態におけるリモコン装置のフロー図のステップ５〜６の説明する図
【図５】本発明の一実施の形態におけるリモコン装置のフロー図のステップ７〜８の説明する図
【発明を実施するための形態】
【０００９】
以下、本発明の一実施の形態におけるリモコン装置について図面を参照しながら説明する。図１は本発明の一実施の形態におけるリモコン装置のブロック図である。
図１において、１０１はキー入力部で、早送釦押下信号、巻戻釦押下信号、再生釦信号を出力する。
１０４はリモコン制御部で、キー入力部１０１と接続される。
【００１０】
１０２は送信部で、リモコン制御部１０４と接続される。
【００１１】
１０３はタイマー部で、リモコン制御部１０４と接続し、キー入力部１０１からの早送釦押下信号または巻戻釦押下信号をリモコン制御部１０４を介して入力し、これらの信号の入力がなくなり、かつ、一定時間、例えば、１秒以内に、再度キー入力部１０１から早送釦押下信号または巻戻釦押下信号をリモコン制御部１０４を介して入力すると、その押下信号を入力している時間を計測するものである。この時、タイマー部１０３での計測した時間を早送釦押下時間、巻戻釦押下時間とする。
【００１２】
１０５は記憶部で、リモコン制御部１０４と接続し早送釦押下時間や巻戻釦押下時間と早送釦の押下や開放、巻戻釦の押下や開放の回数を記録する。また、記憶部１０５は、ユーザが早送釦の開放後に自動で巻き戻しを行う時間として自動巻戻時間を記憶している。
自動巻戻時間は、ユーザが早送釦を押下し開放した後に記憶部１０５よりリモコン制御部１０４を介して送信部１０２に出力される。自動巻戻時間の修正や補正は後述する。
１０６は操作補正部で、リモコン制御部１０４および記憶部１０５に接続され、操作補正部１０６で自動巻戻時間の出力、修正、および、補正を行う。この操作補正部１０６は５つの機能を有している。
【００１３】
第１の機能はリモコン制御部１０４から早送釦開放信号が入力されると、操作補正部１０６は記憶部１０５に記憶している自動巻戻時間をリモコン制御部１０４を介して送信部１０２に出力する。
【００１４】
第２の機能は、記憶部１０５に自動巻戻時間の記憶がない場合、ユーザが早送釦を押して１秒以内に巻戻釦の操作を実施すると、その巻き戻しの時間をタイマー部１０３で測定する。測定した巻戻時間を自動巻戻時間として記憶部１０５に記憶する。
【００１５】
第３の機能は、上記自動巻き戻しが終了した後、１秒以内にキー入力部１０１から早送釦押下信号や巻戻釦押下信号がリモコン制御部１０４に入力されると、リモコン制御部１０４からタイマー部１０３に早送釦や巻戻釦を押下している時間を計測する。計測された早送釦押下時間や巻戻釦押下時間を操作補正部１０６を介して記憶部１０５に記憶する。
【００１６】
第４の機能は、第３の機能で記憶部１０５に記憶された早送釦押下時間や巻戻釦押下時間を使って記憶部１０５に記憶している自動巻戻時間の修正を行う。例えば、記憶部１０
５に記憶している１０秒の自動巻き戻しを行う。自動巻き戻し後、１秒以内に５秒の巻き戻しを実施した場合は巻き戻しが足りないため自動巻戻時間の修正をする。新たな自動巻戻時間は１０秒＋５秒の１５秒となり記憶部１０５に記憶する。このように、自動巻き戻しが終了した後、１秒以内に巻戻釦を押下された場合、操作補正部１０６はタイマー部１０３で計測した巻戻釦の押下時間と記憶部１０５に記憶している自動巻戻時間を加算して自動巻戻時間の修正を行い記憶部１０５に修正した自動巻戻時間を記憶部１０５に記憶する。
【００１７】
また、自動巻き戻しが終了した後、１秒以内に早送釦が押下された場合、操作補正部１０６はタイマー部１０３で計測した早送釦の押下時間と記憶部１０５に記憶している自動巻戻時間を減算して自動巻戻時間の修正を行う。修正した自動巻戻時間を記憶部１０５に記憶する。
【００１８】
第５の機能は、操作補正部１０６は、記憶部１０５に記憶している修正した自動巻戻時間と記憶している自動巻戻時間の数を加算して算出し、後述する自動巻戻時間の補正を行う。補正した自動巻戻時間は記憶部１０４に記憶する。補正した自動巻戻時間は、次回の早送釦開放後の自動巻戻時間として記録再生装置２に出力される。
【００１９】
自動巻戻時間の補正の説明を行う。例えば、修正した自動巻き戻しの時間の記憶順に１２秒、１０秒、４秒および１４秒が記憶部１０５に記憶されている。操作回数は記憶部１０５の自動巻戻時間の数を加算して算出する。この場合の操作回数は４つの修正した自動巻き戻しの時間があるため４回となる。
【００２０】
自動巻戻時間の補正の第１の方法は、記憶部１０５に記憶している全ての修正した自動巻戻時間を合計し、操作回数で割った値を補正した自動巻戻時間とする。例えば、修正した自動巻戻時間を全て合計し１２＋１０＋４＋１４＝４０秒とする。４０秒を操作回数の４回で割った値の１０秒が補正した自動巻戻時間となる。この計算方法は自動巻戻時間の計算が速いという効果を奏する。
【００２１】
次に、自動巻戻時間の補正の第２の方法は、記憶部１０５に記憶してる直近３回より抽出し平均化する方法である。直近３回の自動巻戻時間操作の時間を全て合計し１０＋４＋１４＝２８秒とする。これを操作回数３回で割った値の約９．３秒が補正した自動巻戻時間となる。これにより過去のデータは参照せず、直近３回のデータだけで計算するので、操作者の現在のリモコン操作の時間を反映して自動巻戻時間が計算できる効果を奏する。
【００２２】
次に自動巻戻時間の補正の第３の方法は、記憶部１０５に記憶している修正した自動巻戻時間の平均値よりも５秒以上短い自動巻戻時間や、自動巻戻時間の平均値よりも５秒以上長い自動巻戻時間を除外して計算する方法である。１つ目補正方法では４回分の平均自動巻戻時間が１０秒である。その１０秒より６秒短い４秒を除外し、自動巻戻時間操作の時間を合計し１２＋１０＋１４＝３６とする。これを操作回数３回で割った値１２秒が補正した自動巻戻時間となる。これにより、ユーザの誤操作と考えられる４秒を除外して自動巻戻時間を計算できる効果を奏する。
【００２３】
２は記録再生装置で、無線通信によりリモコン装置１と接続されている。この記録再生装置２はＤＶＤやブルーレイディスクを再生する車載用、家庭用のＤＶＤプレイヤーやブルーレイディスクプレイヤーやムービーカメラなどである。
【００２４】
３は表示装置で、ＤＶＤプレイヤーで再生した映画などの映像を表示するものであり、液晶ディスプレイ、プラズマディスプレイなどである。
以上のように構成されたリモコン装置１について、以下にその動作を説明する。
【００２５】
図２は本発明の一実施の形態におけるリモコン装置のフロー図を説明する。また、図３は本発明の一実施の形態におけるリモコン装置のフロー図のステップ１〜３の説明する図である。ユーザが見たい場面を早送りで探索して再生する場合について説明する。
【００２６】
まず、ステップ１において、ユーザは表示装置３を見ながらリモコン装置１の早送釦を押下し、ユーザが見たい場面で早送釦を開放する。図３で説明すると、例えば、早送りをしながら見たい場所で早送釦を開放しても再生された画像は見たい場面より進んでいる。
【００２７】
次にステップ２において、リモコン装置１の記憶部１０５に自動巻戻時間が記憶されていないるかを判断する。自動巻戻時間が記憶されていない場合はステップ３に進む。
【００２８】
次にステップ３において自動巻戻時間が記憶されていない場合は自動巻き戻しができないため、ユーザは自分で巻戻釦を押して巻き戻しを行う。図３のようにユーザが巻き戻した時間１０秒をタイマー部１０３で測定する。その後、操作補正部１０６はユーザが巻き戻した時間１０秒を自動巻戻時間として記憶する。
【００２９】
また、ステップ２に戻り、自動巻戻時間が既に記憶部１０５に記憶されている場合はステップ４に進む。ユーザによって早送釦が開放されると、操作補正部１０６は記憶部１０５から自動巻戻時間を読み出し送信部１０２に出力する。記録再生装置２は自動巻き戻しを行う。
【００３０】
次に、ステップ５において自動巻き戻し後１秒以内に、ユーザが早送りの操作を実施したか判断する。自動巻き戻し後１秒以内に、ユーザが早送りの操作を実施した場合、ステップ６に進む。
【００３１】
次に、ステップ６においてユーザの早送りした時間をタイマー１０３で計測し、さらに、記憶部１０５に記憶している自動巻戻時間からユーザが早送りした時間を減算して自動巻戻時間を修正し、修正した自動巻戻時間を記憶部１０５に記憶する。ここで図４を説明する。図４は本発明の一実施の形態におけるリモコン装置のフロー図のステップ５〜６の説明する図である。自動巻戻時間を１０秒行い、１秒以内に、早送釦を５秒間押下した場合、自動巻戻時間は１０-５＝５秒間となる。この修正後の自動巻戻時間は５秒はリモコン装置１の記憶部１０５に記憶される。
【００３２】
また、ステップ５に戻って、自動巻き戻し後１秒以内に早送りしない場合ステップ７に進む。次に、ステップ７は自動巻き戻し後１秒以内に巻き戻しをしたかを判断する。自動巻き戻し後１秒以内に巻き戻しをした場合はステップ８に進む。
【００３３】
次に、ステップ８ではユーザがさらに巻き戻しをした時間をタイマー部１０３で計測し、記憶部１０５に記憶していた自動巻戻時間と加算して自動巻戻時間を修正し、修正した自動巻戻時間と「巻き戻しの操作」を記憶部１０５に記憶する
ここで図５について説明する。図５は本発明の一実施の形態におけるリモコン装置のフロー図のステップ７〜８の説明する図である。
【００３４】
例えば、自動巻戻時間を１０秒行い、１秒以内に、巻戻釦を５秒間押下した場合、自動巻戻時間は１０＋５＝１５秒間となる。この修正後の自動巻戻時間は１５秒はリモコン装置１の記憶部１０５に記憶される。また、ステップ７に戻って、１秒以内に巻き戻しをしない場合は、ステップ９に進む。ステップ９では自動巻戻時間の修正は行わない。しかし、実施した自動巻戻時間を記憶部１０５に記憶する。
【００３５】
次に、ステップ１０では記憶部１０４に記憶されている修正自動巻戻時間と早送り、巻き戻し、および、操作なしの操作回数から自動巻戻時間を補正し、補正した時間を自動巻戻時間として記憶部１０５に記憶する。
【００３６】
以上のように、実施の形態によれば、早送り操作で見たい場面で再生するときに、リモコン装置が早送釦開放後に自動巻き戻しを行うため、釦の押下の回数を減らし、操作性が向上することができる。
【産業上の利用可能性】
【００３７】
本発明のリモコン装置は、早送り操作で見たい場面で再生するときに、早送釦と巻戻釦の押下と開放回数を少なくするという効果を有し、オーディオビジュアル装置、車載用ナビゲーション装置として有用である。
【符号の説明】
【００３８】
１  リモコン装置
２  記録再生装置
３  表示装置
１０１  キー入力部
１０２  送信部
１０３  タイマー部
１０４  リモコン制御部
１０５  記憶部
１０６  操作補正部
【図１】
2011211584.tif 000003
【図２】
2011211584.tif 000004
【図３】
2011211584.tif 000005
【図４】
2011211584.tif 000006
【図５】
2011211584.tif 000007